(57)【特許請求の範囲】
【請求項１】
配管をその径方向に切断するセーバーソーと、当該配管に着脱自在に取り付けられると共に前記セーバーソーをその切断移動方向に移動自在に支持するセーバーソー支持治具とを備えていて、前記セーバーソーは、前記セーバーソー支持治具に支持されるセーバーソー本体と、セーバーソー本体に取り付けた鋸刃を有している管切断装置において、
前記セーバーソー支持治具は、ヒンジピンで開閉自在に連結されて前記配管を挟持可能とした１対のクランプ部材を有し、これらクランプ部材は前記セーバーソーの切断移動操作による鋸刃の通過を許容するスリットを有すると共に、少なくとも当該スリットを挟んだ２箇所で前記配管に対して固定可能に構成されており、
前記スリットは、前記セーバーソーの鋸刃の厚さより、わずかに広い幅に形成されており、
前記１対のクランプ部材のうちの一方のクランプ部材には前記セーバーソーを支持するセーバーソー支持用ピンを有する腕が設けられており、前記セーバーソー支持用ピンは前記セーバーソー本体を回動自在に支持するために前記セーバーソー本体の孔に係合しており、
前記セーバーソー支持用ピン回りに前記セーバーソー本体を回転させることにより前記クランプ部材に挟持される前記配管を切断開始するときに前記鋸刃が前記クランプ部材の前記スリットに案内されるように、前記セーバーソー支持用ピンと前記クランプ部材の前記ヒンジピンとが配置されていることを特徴とする管切断装置。
【請求項２】
前記セーバーソーの切断移動方向は、前記配管の軸線に直交する方向に設定されていることを特徴とする請求項１記載の管切断装置。
【請求項３】
前記ヒンジピンには、両クランプ部材を互いに開放する方向に付勢するばねが設けられていることを特徴とする請求項１記載の管切断装置。
【請求項４】
前記鋸刃は、前記セーバーソー本体に対して、配管の軸線方向にオフセットして取付けられていることを特徴とする請求項１から３のいずれか一項に記載の管切断装置。
【請求項５】
前記セーバーソー支持用ピンを中心にして前記セーバーソー本体を回動させて前記鋸刃によって前記配管の切断が完了したときに前記鋸刃が前記クランプ部材の前記ヒンジピンに隣接するように、前記セーバーソー支持用ピンが配置されることを特徴とする請求項１に記載の管切断装置。
【請求項６】
さらに、前記１対のクランプ部材のうちの一方のクランプ部材にはクランプねじを支持するねじ孔が形成されているクランプねじ支持用腕が設けられており、
前記１対のクランプ部材のうちの他方のクランプ部材にはクランプねじ受け用腕が設けられている請求項１から３のいずれか一項に記載の管切断装置。
【請求項７】
前記セーバーソー支持用ピンは前記セーバーソー本体の孔を貫通している請求項１に記載の管切断装置。
【請求項８】
前記セーバーソー支持用ピンの先端にはナットを螺合させられるねじ部が形成されている請求項１に記載の管切断装置。
【発明の詳細な説明】
【０００１】
【発明の属する技術分野】
本発明は管切断装置に関する。詳しくは、セーバーソーを用いて配管を正確に直角に切断することができ、また床面または壁面または天井面から立設された配管を、床面または壁面または天井面近傍で切断することができるようにした管切断装置に関する。
【０００２】
【従来の技術】
従来、鉄筋または鉄骨コンクリート建物内の配管の補修を行う場合、床面または壁面または天井面から出ている配管を切断して新しい配管に交換する必要がある場合がある。この場合、配管を切断するのにはセーバーソーを用いている。
【０００３】
従来のセーバーソーは図４に示すように、略円筒形の本体１の中に、モータ及び該モータにより駆動される往復駆動機構が内蔵されており、該往復駆動機構の往復部材に鋸刃２が取り付けられている。
【０００４】
【発明が解決しようとする課題】
上記従来のセーバーソーを用いて配管を切断する場合、セーバーソーを手で持って切断する場合は、配管を直角に正確に切断することが困難である。このため切断面は切断後の仕上げ工程が必要となり、工数の増大をもたらすという問題がある。
【０００５】
また、図５に示す如く、チェーンバイス３を使用し、該チェーンバイス３に設けられたピン４にセーバーソー本体１を支持させて配管５を切断する場合、切断面は正確になるが、配管には相当の応力がかかっているため、切断直後に配管が切断面で食い違うように逃げるため鋸刃の挟み込みが生じ危険であるし、また配管を２か所で切断する場合は切り落とし部分が落下して危険であるという問題がある。さらに床面または壁面または天井面に近い所ではセーバーソーの構造に制限されて切断作業ができないという問題がある。
【０００６】
本発明は上記従来の問題点に鑑み、セーバーソーを用いて配管を安全に且つ正確に直角に切断でき、さらに配管の切り落ち、切り残りの両方をクランプすることができる管切断装置を実現することを目的とする。
【０００７】
【課題を解決するための手段】
本発明の管切断装置に於いては、配管をその径方向に切断するセーバーソーと、当該配管に着脱自在に取り付けられると共に前記セーバーソーをその切断移動方向に移動自在に支持するセーバーソー支持治具とを備えた管切断装置において、前記セーバーソー支持治具は、ヒンジピンで開閉自在に連結されて前記配管を挟持可能とした１対のクランプ部材を有し、前記セーバーソーの切断移動操作による鋸刃の通過を許容するスリットを有すると共に、少なくとも当該スリットを挟んだ２箇所で前記配管に対して固定可能に構成されていることを特徴とする。
【０００８】
また、それに加えて、前記セーバーソーの切断移動方向は前記配管の軸線に直交する方向に設定されており、前記スリットは、前記セーバーソーの鋸刃の厚さより、わずかに広い幅に形成されていることを特徴とする。また、前記ヒンジピンには、両クランプ部材を互いに開放する方向に付勢するばねが設けられていることを特徴とする。
【０００９】
この構成により、セーバーソーを支持した配管切断治具を配管に取り付け、治具の支持ピンを中心にしてセーバーソーを回動させることにより、狭所においても配管を後工程の仕上工程を必要としないように正確に切断することができる。また、切り残り、切り落としの両方を支持することができるため安全な切断作業ができる。
【００１０】
【発明の実施の形態】
図１は本発明の実施の形態を示す図で（ａ）は上面図、（ｂ）は（ａ）図のＺ矢視図である。本実施の形態は同図に示すように、略円筒状の本体１０と、該本体１０により該本体１０の長手方向に往復駆動される鋸刃１１とよりなるセーバーソー１２と、該セーバーソー１２を揺動自在に支持するセーバーソー支持治具１３とより成る。そして、セーバーソー１２は、本体１０の内部にモータ及び該モータにより駆動される往復駆動機構とが内蔵されており、該往復駆動機構により往復駆動される図示なき往復部材には鋸刃１１が取り付けられている。また、本体１０の先端近傍には貫通孔１４が本体１０の中心軸に直角に設けられている。
【００１１】
セーバーソー支持治具１３は図２の分解斜視図に示すように、１対のクランプ部材１５、１６、ヒンジピン１８、ばね１９、クランプねじ２０、セーバーソー支持ピン２１等により構成されている。
【００１２】
クランプ部材１５とクランプ部材１６にはそれぞれ結合用の孔１７が穿設され、該孔１７にヒンジピン１８を挿通して開閉自在に結合され、且つ、両者は配管を掴むことができるように屈曲して形成されている。さらに両者には先端からヒンジ部の近傍まで鋸刃１１を通過させ、且つ案内することができるように鋸刃の厚さより僅かに幅の広いスリット２２が形成されている。また、一方のクランプ部材１６にはクランプねじ支持用の腕２３とセーバーソー支持用のピン２１を有する腕２４が設けられ、クランプねじ支持用の腕２３にはハンドル２５を有するクランプねじ２０を支持するねじ孔２３ａが形成されている。また、他方のクランプ部材１５にはクランプねじ受け用の腕２６が設けられている。
【００１３】
なお、ばね１９は左右のクランプ部材１５，１６を組み立てたとき両者を開く方向に付勢するようになっている。また、セーバーソー支持用のピン２１はクランプ部材１５，１６が挟持する場合の配管の中心線と正確に平行である必要がある。また該ピン２１は先端にねじ部２１ａを有し、ナット２１ｂを螺合することによりセーバーソー支持治具がどのような姿勢であってもセーバーソーが落下しないように支持することができるようになっている。
【００１４】
このように構成されたセーバーソー支持治具１３は図１の如くクランプ部材１５，１６で配管２７を掴みクランプねじ２０を締めつけることにより固定される。また一方のクランプ部材１６に設けられたセーバーソー支持用のピン２１にはセーバーソー１２が孔１４により揺動自在に支持される。
【００１５】
そして、図１（ａ）の実線で示す状態からスイッチ２８を押圧し往復駆動機構により鋸刃１１を往復運動させながら、本体１０をピン２１を中心にして矢印Ａ方向に回動することにより鋸刃１１が配管２７を切断することができる。この場合、セーバーソー１２がセーバーソー支持治具１３に支持されてピン２１を中心にして回動し、鋸刃はスリット２２に案内されるので切断面は配管２７に直角で且つ正確な平面となる。
【００１６】
また、クランプ部材は、そのスリット２２を境にして一方では切り残りを咬え、他方では切り落としを咬えることができるので、切断直後の配管の切断面の移動を抑え鋸刃のはさみこみを防止して安全な切断ができ、また、切り落ちの落下を防止することができる。さらに配管が切断され残った配管がぶらぶらの不安定な状態の配管を切断する場合も安定した切断ができる。
【００１７】
図３は本発明の他の実施の形態を示す図で、（ａ）は上面図、（ｂ）は（ａ）図のＺ矢視図である。本実施の形態は同図に示すように、セーバーソー１２と、該セーバーソー１２を回動自在に支持するセーバーソー支持治具１３とより成ることは、前実施の形態と同様であり、異なるところは、鋸刃１１をセーバーソー本体１０の中心線に対しオフセットさせたセーバーソーを用い、且つセーバーソー支持治具１３のクランプ部材のスリット２２をオフセットした鋸刃１１の位置に対応するようにクランプ部材端部近傍に移動して設けたことである。
【００１８】
このように構成された本発明の実施の形態は、図３（ｂ）に示すように、スリット２２を床面または壁面または天井面に近接するようにセーバーソー支持治具１３を切断すべき配管２７に取り付け、鋸刃をオフセットしたセーバーソー１２を矢印Ａ方向に回動させることにより床面または壁面または天井面に近接して配管を切断することができ、且つ狭所においても使用することができる。
【００１９】
【発明の効果】
本発明に依れば、セーバーソーを支持したセーバーソー支持治具を配管に取り付け、該治具の支持ピンを中心にしてセーバーソーを回動させることにより、配管を後工程の仕上工程を必要としなように正確に切断することができる。また、床面または壁面または天井面の近傍で且つ狭所においても正確に切断することができ、さらに切り残り、切り落としの両方を咬わえて支持することができるため安全に切断作業を行うことができる。
【図面の簡単な説明】
【図１】本発明の実施の形態を示す図で、（ａ）は上面図、（ｂ）は（ａ）図のＺ矢視図である。
【図２】本発明の実施の形態におけるセーバーソー支持治具を示す分解斜視図である。
【図３】本発明の他の実施の形態を示す図で、（ａ）は上面図、（ｂ）はは（ａ）図のＺ矢視図である。
【図４】従来のセーバーソーを示す図である。
【図５】チェーンバイスを用いてセーバーソーを使用している状態を示す図である。
【符号の説明】
１０…本体
１１…鋸刃
１２…セーバーソー
１３…セーバーソー支持治具
１４…貫通孔
１５，１６…クランプ部材
１７…孔
１８…ヒンジピン
１９…ばね
２０…クランプねじ
２１…セーバーソー支持ピン
２２…スリット
２３…クランプねじ支持用腕
２４…セーバーソー支持用腕
２５…ハンドル
２６…ねじ受け用の腕
２７…配管
２８…スイッチ
２９…アタッチメント
３０，３０′…ねじ
【図１】
0003865424.tif 000002
【図２】
0003865424.tif 000003
【図３】
0003865424.tif 000004
【図４】
0003865424.tif 000005
【図５】
0003865424.tif 000006